(57)【要約】【課題】零点調整の際の操作性を向上し得る測定装置を提供する。【解決手段】測定対象体についての所定のパラメータを測定する測定部（電圧検出部４，ＣＰＵ１０）と、操作部７からの操作信号Ｓ３に従ってパラメータについての零点調整を測定部によって測定されたパラメータの測定値に基づいて行うＣＰＵ１０とを備えたバッテリテスタ１であって、所定のパラメータを測定するための第１端子２２ａ，２２ｂおよび第２端子２３ａ，２３ｂと金属板１０１の被接続部１０２ａ，１０２ｂとの接続状態を検出する検出部（第１検出回路３ａ、第２検出回路３ｂ）を備え、ＣＰＵ１０は、操作信号Ｓ３が入力され、かつ第１端子２２ａ，２２ｂおよび第２端子２３ａ，２３ｂと被接続部１０２ａ，１０２ｂとの接続が検出部によって検出されたときに零点調整を行う。【選択図】図１
2007225284.tif 000002
【特許請求の範囲】
【請求項１】
測定対象体についての所定のパラメータを測定する測定部と、外部からの指示信号および操作部からの操作信号の少なくとも一方の信号に従って前記パラメータについての零点調整を前記測定部によって測定された当該パラメータの測定値に基づいて行う制御部とを備えた測定装置であって、
前記所定のパラメータを測定するための測定用端子と前記測定対象体の被接続部との接続状態を検出する検出部を備え、
前記制御部は、前記少なくとも一方の信号が入力され、かつ前記測定用端子と前記被接続部との接続が前記検出部によって検出されたときに前記零点調整を行う測定装置。
【請求項２】
前記制御部は、前記少なくとも一方の信号が入力され、かつ前記測定用端子と前記被接続部との接続が前記検出部によって検出された状態において前記測定値が所定値以下となったときに前記零点調整を行う請求項１記載の測定装置。
【請求項３】
前記測定用端子としての一対の第１端子を介して前記被接続部に出力する第１交流電流を生成する第１電源部と、前記測定用端子としての一対の第２端子を介して前記被接続部に出力する第２交流電流を生成する第２電源部とを備え、
前記検出部は、前記第１交流電流の導通状態に基づいて前記各第１端子と前記被接続部との接続状態を検出する第１検出回路と、前記第２交流電流の導通状態に基づいて前記各第２端子と前記被接続部との接続状態を検出する第２検出回路とを備えて構成され、
前記測定部は、前記第１交流電流の出力によって前記被接続部に生じる電圧を当該被接続部に接続された前記各第２端子を介して入力して前記パラメータを測定可能に構成されている請求項１または２記載の測定装置。
【請求項４】
前記零点調整を開始可能な状態、前記零点調整を行っている状態、および前記零点調整を完了した状態の各状態を報知可能な音を出力する音声出力部を備えている請求項１から３のいずれかに記載の測定装置。
【発明の詳細な説明】
【技術分野】
【０００１】
本発明は、測定対象体の被接続部に少なくとも一対の測定用端子を接続して所定のパラメータを測定可能に構成された測定装置に関するものである。
【背景技術】
【０００２】
この種の測定装置として、特開平９−２８１２０５号公報において出願人が開示した電池測定装置が知られている。この電池測定装置は、交流定電流源、内部抵抗検出部、電圧検出部およびディジタル処理部等を備えて構成されている。この場合、交流定電流源は、測定対象としての電池の各端子に測定電極を介して交流電流（測定信号）を出力し、内部抵抗検出部は、交流電流の通電によって各端子間に生じる交流電圧を測定電極を介して入力して、その交流電圧に基づいて電池の実効抵抗を検出する。また、電圧検出部は、測定電極を介して入力される電池の各端子間の直流電圧を検出し、ディジタル処理部は、各検出部からの検出信号を処理した測定データをＲＡＭに保存する。
【０００３】
また、この電池測定装置は、電池の端子を挟持可能な一対のプローブを備えており、各プローブの先端には、上記の測定電極がそれぞれ取り付けられている。この場合、この電池測定装置では、電池の端子をプローブで挟持することにより、端子と測定電極とを確実に接続（接触）させることが可能となっている。
【特許文献１】特開平９−２８１２０５号公報（第４−６頁、第１，５図）
【発明の開示】
【発明が解決しようとする課題】
【０００４】
ところが、上記の電池測定装置には、改善すべき以下の課題がある。すなわち、この電池測定装置を含むこの種の測定装置を用いて例えば測定対象体の抵抗を正確に測定するためには、プローブの接触抵抗や測定装置の内部抵抗等に起因するオフセット値の分だけ測定値を補正するための零点調整を測定に先立って行う必要がある。この零点調整を行う際には、各プローブに取り付けられている各測定電極同士を互いに接触させた状態で零点調整用のスイッチを操作する。この場合、端子を挟持するタイプの上記のプローブを用いるときには、プローブの先端部を噛み合わせることで、プローブから手を離した状態においても各測定電極同士を確実に接触させることができるため、零点調整用のスイッチを容易に操作することができる。
【０００５】
一方、平面的な形状の端子を有する測定対象体を測定する際には、上記のプローブに代えて先端部を端子に押し当てる棒状タイプのプローブが用いられる。この場合、この棒状タイプのプローブを用いて零点調整を行うときには、例えば、導電性を有する金属板等にプローブの先端部を押し当てて、先端部に取り付けられている各測定電極同士を金属板を介して電気的に接続させる必要がある。しかしながら、プローブの先端部を金属板等に押し当てつつ零点調整用のスイッチを操作するのはやや困難であり、操作性向上の観点からこの点の改善が望まれている。
【０００６】
本発明は、かかる課題に鑑みてなされたものであり、零点調整の際の操作性を向上し得る測定装置を提供することを主目的とする。
【課題を解決するための手段】
【０００７】
上記目的を達成すべく請求項１記載の測定装置は、測定対象体についての所定のパラメータを測定する測定部と、外部からの指示信号および操作部からの操作信号の少なくとも一方の信号に従って前記パラメータについての零点調整を前記測定部によって測定された当該パラメータの測定値に基づいて行う制御部とを備えた測定装置であって、前記所定のパラメータを測定するための測定用端子と前記測定対象体の被接続部との接続状態を検出する検出部を備え、前記制御部は、前記少なくとも一方の信号が入力され、かつ前記測定用端子と前記被接続部との接続が前記検出部によって検出されたときに前記零点調整を行う。
【０００８】
また、請求項２記載の測定装置は、請求項１記載の測定装置において、前記制御部は、前記少なくとも一方の信号が入力され、かつ前記測定用端子と前記被接続部との接続が前記検出部によって検出された状態において前記測定値が所定値以下となったときに前記零点調整を行う。
【０００９】
また、請求項３記載の測定装置は、請求項１または２記載の測定装置において、前記測定用端子としての一対の第１端子を介して前記被接続部に出力する第１交流電流を生成する第１電源部と、前記測定用端子としての一対の第２端子を介して前記被接続部に出力する第２交流電流を生成する第２電源部とを備え、前記検出部は、前記第１交流電流の導通状態に基づいて前記各第１端子と前記被接続部との接続状態を検出する第１検出回路と、前記第２交流電流の導通状態に基づいて前記各第２端子と前記被接続部との接続状態を検出する第２検出回路とを備えて構成され、前記測定部は、前記第１交流電流の出力によって前記被接続部に生じる電圧を当該被接続部に接続された前記各第２端子を介して入力して前記パラメータを測定可能に構成されている。
【００１０】
また、請求項４記載の測定装置は、請求項１から３のいずれかに記載の測定装置において、前記零点調整を開始可能な状態、前記零点調整を行っている状態、および前記零点調整を完了した状態の各状態を報知可能な音を出力する音声出力部を備えている。
【発明の効果】
【００１１】
請求項１記載の測定装置によれば、外部からの指示信号および操作部からの操作信号の少なくとも一方の信号が入力され、かつ測定用端子と被接続部との接続が検出部によって検出されたときに零点調整を行うことにより、制御部が零点調整を自動的に行うため、プローブユニットを金属板に押し当てた状態で零点調整スイッチを操作する従来の測定装置と比較して、操作性を十分に向上させることができる。
【００１２】
また、請求項２記載の測定装置によれば、少なくとも一方の信号が入力され、かつ測定用端子と被接続部との接続が検出部によって検出された状態において測定値が所定値以下となって安定したときに制御部が零点調整を行うことにより、例えば、表示部に表示される測定値を確認しつつ測定値が閾値以下となって安定したときに零点調整用スイッチを手動で操作する必要がないため、その分、作業効率を十分に向上させることができる。
【００１３】
また、請求項３記載の測定装置によれば、第１交流電流の導通状態に基づいて各第１端子と被接続部との接続状態を検出する第１検出回路と、第２交流電流の導通状態に基づいて各第２端子と被接続部との接続状態を検出する第２検出回路とを備えて検出部を構成したことにより、４端子法による測定値の測定に先立って行う零点調整の操作性や作業効率を十分に向上させることができる。
【００１４】
また、請求項４記載の測定装置によれば、零点調整を開始可能な状態、零点調整を行っている状態、および零点調整を完了した状態の各状態を報知可能な音を出力する音声出力部を備えたことにより、零点調整における各状態を確実に認識させることができる。
【発明を実施するための最良の形態】
【００１５】
以下、本発明に係る測定装置の最良の形態について、添付図面を参照して説明する。
【００１６】
最初に、バッテリテスタ１の構成について、図面を参照して説明する。
【００１７】
図１に示すバッテリテスタ１は、本発明に係る測定装置の一例であって、例えば、バッテリ（本発明における測定対象体）の抵抗や電圧（本発明におけるパラメータの一例）を４端子法によって測定可能に構成されている。具体的には、バッテリテスタ１は、同図に示すように、第１電源部２ａ、第２電源部２ｂ（以下、両電源部２ａ，２ｂを区別しないときには「電源部２」ともいう）、第１検出回路３ａ、第２検出回路３ｂ（以下、両検出回路３ａ，３ｂを区別しないときには「検出回路３」ともいう）、電圧検出部４、ＲＡＭ５、ＲＯＭ６、操作部７、表示部８、音声出力部９およびＣＰＵ１０を備えて構成されている。
【００１８】
第１電源部２ａは、本発明における第１交流電流に相当する交流電流Ｉｍを生成可能に構成されている。この場合、第１電源部２ａには、一対の第１端子２２ａ，２２ｂ（図１参照：以下、区別しないときには「第１端子２２」ともいう）が接続され、この第１端子２２を介して交流電流Ｉｍが一対の被接続部に出力される。第２電源部２ｂは、本発明における第２交流電流に相当する交流電流Ｉｃを生成可能に構成されている。また、第２電源部２ｂには、一対の第２端子２３ａ，２３ｂ（同図参照：以下、区別しないときには「第２端子２３」ともいう）が接続され、この第２端子２３を介して交流電流Ｉｃが上記の一対の被接続部に出力される。この場合、第１端子２２ａおよび第２端子２３ａは、図２に示すプローブユニット１１ａの先端部において絶縁されつつ互いに隣接した状態で配設され、第１端子２２ｂおよび第２端子２３ｂは、プローブユニット１１ｂ（以下、プローブユニット１１ａ，１１ｂを区別しないときには「プローブユニット１１」ともいう）の先端部において絶縁されつつ互いに隣接した状態で配設されている。なお、第１端子２２および第２端子２３が、本発明における測定用端子に相当する。
【００１９】
第１検出回路３ａは、例えば、検出用抵抗Ｒｄ１（図１参照）の両端間の電圧値を測定することによって交流電流Ｉｍの導通状態（導通および非導通）を検出する。つまり、第１検出回路３ａは、検出用抵抗Ｒｄ１の両端間の電圧値が所定電圧以上のときには、交流電流Ｉｍが導通状態と検出し、所定電圧未満ときには、交流電流Ｉｍが非導通状態と検出する。また、第１検出回路３ａは、交流電流Ｉｍの導通状態に基づいて両第１端子２２と測定対象体における一対の被接続部（例えば、端子）との接続状態（接続および非接続）を検出して、その接続状態を識別可能な検出信号Ｓ１をＣＰＵ１０に出力する。この場合、第１検出回路３ａは、交流電流Ｉｍが導通状態のときには、両第１端子２２と両被接続部とが接続されていることを示す検出信号Ｓ１を出力し、交流電流Ｉｍが非導通状態のときには、両第１端子２２と両被接続部とが非接続であることを示す検出信号Ｓ１を出力する。
【００２０】
第２検出回路３ｂは、例えば、検出用抵抗Ｒｄ２（同図参照）の両端間の電圧値を測定することによって交流電流Ｉｃの導通状態を検出する。つまり、第２検出回路３ｂは、検出用抵抗Ｒｄ２の両端間の電圧値が所定電圧以上のときには、交流電流Ｉｃが導通状態と検出し、所定電圧未満ときには、交流電流Ｉｃが非導通状態と検出する。また、第２検出回路３ｂは、交流電流Ｉｃの導通状態に基づいて両第２端子２３と測定対象体における一対の被接続部との接続状態を検出して、その接続状態を識別可能な検出信号Ｓ２をＣＰＵ１０に出力する。この場合、第２検出回路３ｂは、交流電流Ｉｃが導通状態のときには、両第１端子２３と両被接続部とが接続されていることを示す検出信号Ｓ２を出力し、交流電流Ｉｃが非導通状態のときには、両第１端子２３と両被接続部とが非接続であることを示す検出信号Ｓ１を出力する。なお、第１検出回路３ａおよび第２検出回路３ｂによって本発明における検出部が構成される。
【００２１】
電圧検出部４は、例えばＡ／Ｄ変換回路（図示せず）を備えて構成され、ＣＰＵ１０の制御に従い、一対の被接続部に交流電流Ｉｍが出力されたとき、つまり測定対象体に交流電流Ｉｍが流れたときに両被接続部間に生じる電圧の電圧値Ｖを検出して、電圧データＤｖを出力する。
【００２２】
ＲＡＭ５は、ＣＰＵ１０の制御に従い、ＣＰＵ１０によって実行される零点調整処理４０（図４参照）において測定される抵抗値Ｒを保存（記憶）する。ＲＯＭ６は、零点調整処理４０の実行時において用いられる閾値Ｂ等を記憶する。操作部７は、図２に示すように、電源スイッチ７１、零点調整スイッチ７２および測定スイッチ７３などの各種のスイッチを備えて構成されると共に、バッテリテスタ１の正面パネルに配設されて、各スイッチの操作に対応する操作信号Ｓ３をＣＰＵ１０に出力する。表示部８は、例えば、ＬＣＤパネルで構成されると共に、同図に示すように、バッテリテスタ１の正面パネルに配設されて、ＣＰＵ１０の制御に従って各種の画像Ｇ（例えば、図３，５，６に示す画像Ｇ１〜Ｇ３）を表示する。音声出力部９は、ＣＰＵ１０の制御に従い、零点調整における各状態を報知可能な各種の音を出力する。
【００２３】
ＣＰＵ１０は、電圧検出部４と共に本発明における測定部を構成し、電圧検出部４から出力される電圧データＤｖに基づいてバッテリの抵抗値Ｒを算出（測定）する。また、ＣＰＵ１０は、算出した抵抗値Ｒを示す画像Ｇを表示部８に表示させる。また、ＣＰＵ１０は、第１検出回路３ａから出力された検出信号Ｓ１に基づいて両第１端子２２が被接続部にそれぞれ接続されているか否かを判別すると共に、第２検出回路３ｂから出力された検出信号Ｓ２に基づいて両第２端子２３が被接続部にそれぞれ接続されているか否かを判別する。
【００２４】
さらに、ＣＰＵ１０は、本発明における制御部として機能し、操作部７からの操作信号Ｓ３に従い、図４に示す零点調整処理４０を実行することによって抵抗値Ｒについての零点調整を行う。この場合、ＣＰＵ１０は、両第１端子２２および両第２端子２３のすべてが被接続部に接続され、かつ算出（測定）している抵抗値Ｒが閾値Ｂ以下となって安定したときに零点調整を行う。また、ＣＰＵ１０は、零点調整処理４０において音声出力部９を制御することにより、零点調整を開始可能な状態、零点調整を行っている状態、および零点調整を完了した状態の各状態をそれぞれ報知可能な音を出力させる。
【００２５】
次に、バッテリテスタ１の使用方法およびバッテリテスタ１を用いてバッテリの抵抗値Ｒを測定する方法について、図面を参照して説明する。
【００２６】
まず、操作部７の電源スイッチ７１を操作する。この際に、ＣＰＵ１０が、ＲＡＭ５を初期化してＲＡＭ５に記憶されている各データを消去させる。次に、バッテリの抵抗値Ｒの測定に先立って零点調整を行うために、操作部７の零点調整スイッチ７２を操作する。この際に、操作部７が零点調整スイッチ７２に対応する操作信号Ｓ３を出力し、ＣＰＵ１０がその操作信号Ｓ３に従って図４に示す零点調整処理４０を実行する。この零点調整処理４０では、ＣＰＵ１０は、まず、第１電源部２ａを制御して交流電流Ｉｍを生成させると共に、第２電源部２ｂを制御して交流電流Ｉｃを生成させる（ステップ４１）。次いで、ＣＰＵ１０は、表示部８を制御して、図３に示すように、零点調整を開始可能な状態となったことを示す画像Ｇ１（例えば、ＺＥＲＯ  ＡＤＪ．（zero adjust ）の文字が点滅する画像）を表示させる。また、ＣＰＵ１０は、音声出力部９を制御して、零点調整を開始可能な状態となった旨を報知する音（例えば、短い電子音が２回連続して出力され、それが所定時間間隔で繰り返されるパターンの音：以下、この音を「報知音Ｓｏ１」ともいう）を出力させる（ステップ４２）。
【００２７】
続いて、図２に示すように、導電性を有する金属板１０１（本発明における測定対象体）における任意の２箇所の部位（本発明における被接続部：以下、この部位を「被接続部１０２ａ，１０２ｂ」ともいい、両者を区別しないときには「被接続部１０２」ともいう）にプローブユニット１１ａ，１１ｂの先端部を押し当てる。この際に、プローブユニット１１ａの先端部に配設されている第１端子２２ａおよび第２端子２３ａが金属板１０１の被接続部１０２ａに接続（接触）されると共に、プローブユニット１１ｂの先端部に配設されている第１端子２２ｂおよび第２端子２３ｂが金属板１０１の被接続部１０２ｂに接続される。これにより、第１端子２２ａ，２２ｂが金属板１０１を介して電気的に接続されて、第１電源部２ａからの交流電流Ｉｍが導通される。また、第２端子２３ａ，２３ｂが金属板１０１を介して電気的に接続されて、第２電源部２ｂからの交流電流Ｉｃが導通される。
【００２８】
次いで、検出回路３ａが、交流電流Ｉｍの導通状態に基づいて両第１端子２２と金属板１０１における両被接続部１０２との接続状態を検出して、その接続状態を識別可能な検出信号Ｓ１をＣＰＵ１０に出力する。また、第２検出回路３ｂが、交流電流Ｉｃの導通状態に基づいて両第２端子２３と金属板１０１における両被接続部１０２との接続状態を検出して、その接続状態を識別可能な検出信号Ｓ２をＣＰＵ１０に出力する。
【００２９】
続いて、ＣＰＵ１０は、第１検出回路３ａから出力された検出信号Ｓ１に基づいて両第１端子２２のいずれもが両被接続部１０２に接続されているか否かを判別すると共に、第２検出回路３ｂから出力された検出信号Ｓ２に基づいて両第２端子２３のいずれもが両被接続部１０２に接続されているか否かを判別する（ステップ４３）。この場合、ＣＰＵ１０は、両第１端子２２および両第２端子２３の１つ以上が被接続部１０２ａと非接続であると判別したときには、両第１端子２２および両第２端子２３のすべてが被接続部１０２に接続されるまで、つまりプローブユニット１１ａ，１１ｂのいずれもが被接続部１０２に接続されるまでステップ４３を繰り返して実行する。
【００３０】
一方、ＣＰＵ１０は、両第１端子２２および両第２端子２３のすべてが被接続部１０２に接続されていると判別したときには、電圧検出部４を制御して、交流電流Ｉｍの出力によって金属板１０１の被接続部１０２ａ，１０２ｂ間に生じる電圧の電圧値Ｖを検出させると共に、電圧データＤｖを出力させる。次いで、ＣＰＵ１０は、電圧データＤｖに基づいて被接続部１０２ａ，１０２ｂ間の抵抗値Ｒを算出する（ステップ４４）。
【００３１】
続いて、ＣＰＵ１０は、表示部８を制御して、図５に示すように、抵抗値Ｒを示す画像Ｇ２を表示させる。また、ＣＰＵ１０は、音声出力部９を制御して、零点調整を行っている状態である旨を報知する音（例えば、短い電子音が所定時間だけ連続的に出力されるパターンの音：以下、この音を「報知音Ｓｏ２」ともいう）を出力させる（ステップ４５）。
【００３２】
次いで、ＣＰＵ１０は、ＲＯＭ６から閾値Ｂを読み出すと共に、抵抗値Ｒが閾値Ｂ以下であるか否かを判別する（ステップ４６）。この場合、抵抗値Ｒが閾値Ｂ以下のときには、プローブユニット１１ａ，１１ｂのいずれもが被接続部１０２に接続されて安定な状態となっている。したがって、ＣＰＵ１０は、抵抗値Ｒが閾値Ｂ以下となって安定したと判別したときは、バッテリテスタ１が零点調整を開始可能な状態になったと判別して、表示部８を制御してその時点における抵抗値Ｒ（以下、この抵抗値Ｒを「調整値Ｒ０」ともいう）をＲＡＭ５に記憶させる（ステップ４７）。この場合、この調整値Ｒ０は、次回以降の各抵抗値測定時において、その際に測定された抵抗値ＲからＣＰＵ１０によって差し引かれることにより、プローブユニット１１の接触抵抗やバッテリテスタ１の内部抵抗等に起因するオフセット値の分だけ測定値Ｒが補正される。続いて、ＣＰＵ１０は、音声出力部９を制御して、零点調整を完了した状態である旨を報知する音（例えば、電子音が所定時間だけ連続的して出力されるパターンの音：この音を「報知音Ｓｏ３」ともいう）を出力させる。また、ＣＰＵ１０は、表示部８を制御して、図６に示すように、零点調整を完了して、抵抗測定を開始可能となった旨を示す画像Ｇ３を表示させる（ステップ４８）。
【００３３】
以上により、零点調整が完了する。この場合、このバッテリテスタ１では、零点調整スイッチ７２を操作した後にプローブユニット１１を金属板１０１に押し当てて、検出回路３によって両端子２２，２３と金属板１０１の被接続部１０２との接続が検出されたときに、ＣＰＵ１０が零点調整を自動的に行うため、プローブユニット１１を金属板１０１に押し当てた状態で零点調整スイッチ７２を操作する従来の測定装置と比較して、操作性を十分に向上させることが可能となる。
【００３４】
次に、測定対象体としてのバッテリの抵抗値Ｒを測定する。この場合、まず、操作部７の測定スイッチ７３を操作した後に、バッテリの両電極にプローブユニット１１をそれぞれ接続させる。この際に、プローブユニット１１の先端部に配設されている第１端子２２ａ，２２ｂを介して第１電源部２ａからの交流電流Ｉｍが両電極に出力される。次いで、ＣＰＵ１０は、電圧検出部４を制御して、交流電流Ｉｍの出力によって両電極間に生じる電圧の電圧値Ｖを検出させると共に、電圧データＤｖを出力させる。続いて、ＣＰＵ１０は、電圧データＤｖに基づいて抵抗値Ｒを算出すると共に、ＲＡＭ５から調整値Ｒ０を読み出して、算出した抵抗値Ｒから調整値Ｒ０を差し引く（調整値Ｒ０で抵抗値Ｒを調整する）。続いて、ＣＰＵ１０は、表示部８を制御して、調整後の抵抗値Ｒａを示す画像を表示させる。以上により、バッテリの抵抗値Ｒの測定が完了する。
【００３５】
このように、このバッテリテスタ１によれば、零点調整スイッチ７２に対応する操作信号Ｓ３が入力され、かつ第１端子２２および第２端子２３と被接続部との接続が検出回路３によって検出されたときにＣＰＵ１０が零点調整を行うことにより、零点調整スイッチ７２を操作した後にプローブユニット１１を金属板１０１に押し当てて、第１端子２２および第２端子２３と金属板１０１の被接続部１０２とを接続させることで、ＣＰＵ１０が零点調整を自動的に行うため、プローブユニット１１を金属板１０１に押し当てた状態で零点調整スイッチ７２を操作する従来の測定装置と比較して、操作性を十分に向上させることができる。
【００３６】
また、このバッテリテスタ１によれば、零点調整スイッチ７２に対応する操作信号Ｓ３が入力され、かつ第１端子２２および第２端子２３と被接続部との接続が検出回路３によって検出された状態において抵抗値Ｒが閾値Ｂ以下となって安定したときにＣＰＵ１０が零点調整を行うことにより、例えば、表示部８に表示される抵抗値Ｒを確認しつつ抵抗値Ｒが閾値Ｂ以下となって安定したときに零点調整用スイッチを手動で操作する必要がないため、その分、作業効率を十分に向上させることができる。
【００３７】
また、このバッテリテスタ１によれば、第１端子２２と被接続部１０２との接続状態を検出する第１検出回路３ａと、第２端子２３と被接続部１０２ａとの接続状態を検出する第２検出回路３ｂとを備えたことにより、４端子法による抵抗値Ｒの測定に先立って行う零点調整の操作性や作業効率を十分に向上させることができる。
【００３８】
また、このバッテリテスタ１によれば、零点調整を開始可能な状態、零点調整を行っている状態、および零点調整を完了した状態の各状態を報知可能な音を出力する音声出力部９を備えたことにより、零点調整における各状態を確実に認識させることができる。
【００３９】
なお、本発明は、上記の構成に限定されない。例えば、抵抗値Ｒを測定するバッテリテスタ１に適用した例について上記したが、電圧、電流および温度等の各種のパラメータを測定可能な測定装置に本発明を適用することができる。また、これらの各種のパラメータを２種類以上測定可能な測定装置に適用することもできる。また、４端子法で抵抗値Ｒを測定するバッテリテスタ１を例に挙げて説明したが、２端子法で各種のパラメータを測定する測定装置に適用することもできる。また、零点調整スイッチ７２の操作に対応する操作信号Ｓ３が入力されたときにＣＰＵ１０が零点調整処理４０を実行する例について上記したが、バッテリテスタ１にパーソナルコンピュータ等の外部装置を接続して、その外部装置からの指示信号（外部からの指示信号）に従ってＣＰＵ１０が零点調整処理４０を実行する構成を採用することもできる。
【図面の簡単な説明】
【００４０】
【図１】バッテリテスタ１の構成を示す構成図である。
【図２】バッテリテスタ１の正面図である。
【図３】表示部８に画像Ｇ１を表示させている状態の表示画面図である。
【図４】零点調整処理４０のフローチャートである。
【図５】表示部８に画像Ｇ２を表示させている状態の表示画面図である。
【図６】表示部８に画像Ｇ３を表示させている状態の表示画面図である。
【符号の説明】
【００４１】
１  バッテリテスタ
２ａ，２ｂ  電源部
３ａ  第１検出回路
３ｂ  第２検出回路
４  電圧検出部
５  ＲＡＭ
１０  ＣＰＵ
２２ａ，２２ｂ  第１端子
２３ａ，２３ｂ  第２端子
１０１  金属板
１０２ａ，１０２ｂ  被接続部
Ｉｃ，Ｉｍ  交流電流
Ｒ  抵抗値
Ｓ３  操作信号
【図１】
2007225284.tif 000003
【図２】
2007225284.tif 000004
【図３】
2007225284.tif 000005
【図４】
2007225284.tif 000006
【図５】
2007225284.tif 000007
【図６】
2007225284.tif 000008